(57)【要約】【課題】オブジェクトを容易に取得して複数の用途に利用できるようにすること。【解決手段】端末装置は、操作部、接触部、および通信部を備えた端末装置であって、接触部により、タッチパネルを備えた第１の装置に表示されたオブジェクトが選択された状態で操作部による操作がなされた場合、オブジェクトを第１の装置から取得する取得部を備える。【選択図】図７
2019185635.tif 000002
【特許請求の範囲】
【請求項１】
操作部、接触部、および通信部を備えた端末装置であって、
前記接触部により、タッチパネルを備えた第１の装置に表示されたオブジェクトが選択された状態で前記操作部による操作がなされた場合、前記オブジェクトを前記第１の装置から取得する取得部
を備えることを特徴とする端末装置。
【請求項２】
前記取得部が取得した前記オブジェクトを印刷する印刷部
をさらに備えることを特徴とする請求項１に記載の端末装置。
【請求項３】
互いに分割可能且つ互いに通信可能な、
前記操作部、前記取得部、前記接触部、および前記通信部を有する第１の本体部と、
前記操作部、前記取得部、前記通信部、および前記印刷部を有する第２の本体部と
を備えることを特徴とする請求項２に記載の端末装置。
【請求項４】
前記第１の本体部および前記第２の本体部の各々に接続可能な電源部をさらに備え、
前記第２の本体部は、前記電源部の代わりに当該第２の本体部に装着された前記印刷部の機能を拡張する拡張カセットが備える外部電源によって動作可能である
ことを特徴とする請求項３に記載の端末装置。
【請求項５】
前記取得部が取得した前記オブジェクトを第２の装置へ前記通信部を介して送信し、前記第２の装置が備えるタッチパネルに前記接触部が接触している接触位置に表示させる出力制御部をさらに備える
ことを特徴とする請求項１から４のいずれか一項に記載の端末装置。
【請求項６】
前記取得部が取得した前記オブジェクトを第３の装置へ前記通信部を介して送信し、前記第３の装置に印刷させる出力制御部をさらに備える
ことを特徴とする請求項１から４のいずれか一項に記載の端末装置。
【請求項７】
タッチパネルを備えた第１の装置と、
操作部、接触部、および通信部を備えた端末装置と
を備えた通信システムであって、
前記端末装置は、
前記接触部により前記第１の装置に表示されたオブジェクトが選択された状態で前記操作部による操作がなされた場合、前記オブジェクトを前記第１の装置から取得する取得部をさらに備える
ことを特徴とする通信システム。
【請求項８】
タッチパネルを備えた第２の装置をさらに備え、
前記端末装置は、前記取得部が取得した前記オブジェクトを前記第２の装置へ送信する出力制御部をさらに備え、
前記第２の装置は、前記タッチパネルに前記接触部が接触している位置に、前記端末装置から送信された前記オブジェクトを表示する
ことを特徴とする請求項７に記載の通信システム。
【請求項９】
印刷機構を備えた第３の装置をさらに備え、
前記端末装置は、前記取得部が取得した前記オブジェクトを前記第３の装置へ送信する出力制御部をさらに備え、
前記第３の装置は、前記端末装置から送信された前記オブジェクトを印刷する
ことを特徴とする請求項７に記載の通信システム。
【発明の詳細な説明】
【技術分野】
【０００１】
本発明は、端末装置および通信システムに関する。
【背景技術】
【０００２】
従来、ユーザが外出先等において印刷を行うことを実現可能とする、可搬性を有する小型のモバイルプリンタが知られている（例えば、下記特許文献１参照）。
【先行技術文献】
【特許文献】
【０００３】
【特許文献１】特開２００６−１５９４２７号公報
【発明の概要】
【発明が解決しようとする課題】
【０００４】
しかしながら、従来のモバイルプリンタでは、情報処理装置のオブジェクトを印刷する場合、外部の情報処理装置で煩雑な操作を行って、モバイルプリンタへオブジェクトの印刷データを送信する必要があった。また、従来のモバイルプリンタでは、情報処理装置から取得したオブジェクトを印刷以外の用途に用いることはできなかった。
【０００５】
本発明は、上述した課題を解決するため、オブジェクトを容易に取得して複数の用途に利用できるようにすることを目的とする。
【課題を解決するための手段】
【０００６】
上述した課題を解決するために、本発明の端末装置は、操作部、接触部、および通信部を備えた端末装置であって、接触部により、タッチパネルを備えた第１の装置に表示されたオブジェクトが選択された状態で操作部による操作がなされた場合、オブジェクトを第１の装置から取得する取得部を備える。
【発明の効果】
【０００７】
本発明によれば、オブジェクトを容易に取得して複数の用途に利用することができる。
【図面の簡単な説明】
【０００８】
【図１】本発明の一実施形態に係る通信システムのシステム構成を示す図
【図２】端末装置とスマートフォンの分離状態および結合状態を示す斜視図
【図３】一実施形態に係る端末装置の外観斜視図およびＡ−Ａ断面図
【図４】一実施形態に係る拡張カセットが接続された端末装置の外観斜視図
【図５】一実施形態に係る端末装置の分割状態を示す図
【図６】タッチペン併設時のブロック図
【図７】タッチペン分離時のブロック図
【図８】プリンタ部とタッチペンと電源部のハードウェア構成を示すブロック図
【図９】プリンタ部とタッチペンの機能構成を示すブロック図
【図１０】端末装置によるコピーペースト操作を説明する図
【図１１】端末装置およびスマートフォンによるコピー処理の手順を示すシーケンス図
【図１２】端末装置およびスマートフォンによるペースト処理の手順を示すシーケンス図
【図１３】タッチペンによる印刷操作を説明する図
【図１４】タッチペンによる印刷処理の手順を示すシーケンス図
【図１５】端末装置による回転操作を説明する図
【図１６】端末装置およびスマートフォンによる回転処理の手順を示すシーケンス図
【図１７】端末装置への拡張ユニットの装着例を示す図
【発明を実施するための形態】
【０００９】
〔実施形態〕
以下、図面を参照して、本発明の実施形態について説明する。
【００１０】
図１は、本発明の一実施形態に係る通信システム１０のシステム構成を示す図である。図１に示すように、通信システム１０は端末装置１００、スマートフォン２００、スマートフォン３００、およびタッチペン４００を備える。端末装置１００およびタッチペン４００は、ＢＬＥ（Bluetooth Low Energy）によりスマートフォン２００，３００との間で無線通信を行うことができる。以降では、スマートフォン２００を端末装置１００およびタッチペン４００によるオブジェクトの取得元の第１の装置とし、スマートフォン３００を端末装置１００およびタッチペン４００によるオブジェクトの出力先の第２の装置として説明する。但し、端末装置１００およびタッチペン４００は、スマートフォン３００から取得したオブジェクトをスマートフォン２００へ出力することもできる。また、通信システム１０は、端末装置１００と同一の装置である他の端末装置１００を端末装置１００およびタッチペン４００によるオブジェクトの出力先の第３の装置とし、第３の装置によってオブジェクトを印刷することもできる。
【００１１】
端末装置１００およびタッチペン４００は、スマートフォン２００の本体２０２に設けられたタッチパネル２０３に対する接触操作により、タッチパネル２０３上で選択されたオブジェクトを取得することができる。また、端末装置１００およびタッチペン４００は、タッチパネル２０３上でオブジェクトを移動させたり回転させたりすることができる。また、端末装置１００およびタッチペン４００は、スマートフォン３００の本体３０２に設けられたタッチパネル３０３に対する接触操作により、タッチパネル３０３上の選択位置にスマートフォン２００から取得したオブジェクトを表示させることができる。
【００１２】
端末装置１００はまた、印刷機能を有し、例えばスマートフォン２００から取得したオブジェクトを記録紙に印刷することができる。また、端末装置１００およびタッチペン４００は、スマートフォン２００，３００からデータをダウンロードしてメモリに記録するとともに、メモリに記録されているデータをスマートフォン２００，３００にアップロードすることにより、各種データをスマートフォン２００，３００と共有することができる。
【００１３】
図２（ａ）は、端末装置１００およびスマートフォン２００の分離状態を示す斜視図である。図２（ｂ）は端末装置１００およびスマートフォン２００の結合状態を示す斜視図である。以降の説明では、便宜上、端末装置１００およびスマートフォン２００の長手方向をＸ方向とし、スマートフォン２００の短手方向をＹ方向、スマートフォン２００の厚さ方向をＺ方向とする。
【００１４】
図２（ａ）および図２（ｂ）に示すように、端末装置１００はスマートフォン２００に対して着脱自在であり、スマートフォン２００に装着された状態でスマートフォン２００と一体的に持ち運ぶことが可能である。図２（ａ）に示すように、端末装置１００はバインダ２１０によりスマートフォン２００に装着される。スマートフォン２００は、本体２０２と、本体の前面および背面を覆うように取り付けられたジャケット２０４とを備えている。ジャケット２０４の背面には、接着剤などの固定手段によってバインダ２１０を取り付けることができる。バインダ２１０は、Ｘ方向を長手方向とする長方形状を有している。バインダ２１０のＹ負側の長辺部分には、円筒状の把持部２１２が設けられている。把持部２１２は開閉可能であり、図２（ａ）に示す開いた状態で端末装置１００をセットでき、図２（ｂ）に示す閉じた状態で端末装置１００を固定的に把持する。なお、把持部２１２の内径は、端末装置１００の筐体１１０の外形と略同サイズである。これにより、図２（ｂ）に示すように、把持部２１２はがたつきを生じさせることなく端末装置１００を把持できる。なお、図２（ｂ）に示すように、端末装置１００には、スマートフォン２００に装着された状態で、記録紙および内蔵バッテリが内部に設けられた拡張カセット１５０を装着可能である。図２（ｂ）に示すように、スマートフォン２００に装着された端末装置１００に拡張カセット１５０を装着することにより、スマートフォン２００に装着された状態のまま印刷を行うことができる。
【００１５】
図３（ａ）は、一実施形態に係る端末装置１００の外観斜視図である。端末装置１００は、細長い円柱状のペン型の外形をなしている、小型且つ携帯可能なＩｏＴ（Internet of Things）デバイスである。端末装置１００は、プリンタ機能と無線通信機能とを有している。例えば、端末装置１００は、直径が約１８ｍｍ〜２０ｍｍ、長さが約１６５ｍｍ〜１７０ｍｍである。図３（ａ）に示すように、端末装置１００は、ペン型の筐体１１０を有している。筐体１１０の表面には、長手方向に沿ってフック１１０Ａが設けられ、筆記用具と同様にフック１１０Ａによって胸のポケット等に端末装置１００を挟持することが可能となっている。筐体１１０の外周には、円筒状のダイヤルスイッチ１３０が設けられている。ダイヤルスイッチ１３０は、ユーザの操作により電源のオンオフ、動作モードの切り替えなど端末装置１００の各種動作のための操作を可能とする。ダイヤルスイッチ１３０はプッシュ操作と回転操作とが可能である。フック１１０Ａの表面にはインジケータ１３２が設けられている。インジケータ１３２の点灯によって、電源状態、印刷状態、動作モード等の端末装置１００の各種状態を表すことができる。インジケータ１３２としては、例えばＬＥＤ（light emitting diode）が用いられる。なお、筐体１１０のＸ正側の端部には着脱可能なキャップ１１０Ｂが設けられている。また、筐体１１０のＸ負側端部には着脱可能なキャップ１１０Ｃが設けられている。端末装置１００は電源部１１３およびプリンタ部１１４が接続されている。プリンタ部１１４は電源部１１３が接続された状態で電源部１１３からの電力により動作する。プリンタ部１１４は拡張カセット１５０が接続された状態で拡張カセット１５０からの電力により動作する。電源部１１３はプリンタ部１１４から分離されてタッチペン４００に接続される。
【００１６】
（端末装置１００の構成）
図３（ｂ）は、図３（ａ）に示す端末装置１００のＡ−Ａ断面図である。図３（ｂ）に示すように、端末装置１００の筐体１１０はいずれも円筒状の外筒１１１および内筒１１２を有しており、外筒１１１の内部に内筒１１２が挿入される二重構造をなしている。外筒１１１は内筒１１２に対し回転可能である。外筒１１１には、給紙口１１１Ａおよび排紙口１１１Ｂが形成されている。また、内筒１１２には、給紙口１１２Ａおよび排紙口１１２Ｂが形成されている。
【００１７】
図３（ｂ）に示すように、内筒１１２の内部には印刷機構１２０が設けられている。印刷機構１２０は、「印刷部」の一例である。印刷機構１２０は、拡張カセット１５０から給紙された記録紙に印刷を行う、いわゆるサーマルプリンタである。印刷機構１２０は、サーマルヘッド１２１、プラテンローラ１２２、給紙ローラ１２３、記録紙ガイド１２４、制御回路１２５を備えている。
【００１８】
サーマルヘッド１２１は、複数の発熱素子がＸ方向に並べて設けられている。プラテンローラ１２２は円柱状の部材であり、サーマルヘッド１２１と対向して設けられている。プラテンローラ１２２とサーマルヘッド１２１との間に記録紙を挟み込むことにより、記録紙をサーマルヘッド１２１に押し当てることができる。サーマルヘッド１２１は、制御回路１２５から供給された制御信号によって発熱素子を発熱制御することにより、記録紙に対して画像を形成する。
【００１９】
給紙ローラ１２３は円柱状の部材であり、給紙ローラ１２３の回転により給紙口１１１Ａおよび給紙口１１２Ａから給紙された記録紙を、記録紙ガイド１２４に沿ってサーマルヘッド１２１とプラテンローラ１２２との間へ搬送する。
【００２０】
制御回路１２５は、ヘッド駆動回路（図示省略）およびモータ駆動回路（図示省略）を有している。ヘッド駆動回路は、後述するＣＰＵ８０１から出力された印刷データをサーマルヘッド１２１へ供給してサーマルヘッド１２１の駆動を制御する。モータ駆動回路は、後述するＣＰＵ８１１から出力されたモータ制御データに基づいて、用紙送りを行うためのパルスモータ（図示省略）の駆動を制御する。
【００２１】
（拡張カセット１５０の装着）
図４は、拡張カセット１５０が接続された端末装置１００の外観斜視図である。端末装置１００により印刷を行う際には、内筒１１２に対して外筒１１１を回転させて、図３（ｂ）に示すように給紙口１１１Ａと給紙口１１２Ａの位置を一致させるとともに、排紙口１１１Ｂと排紙口１１２Ｂとの位置を一致させる。そして、図４に示すように、給紙口１１１Ａに拡張カセット１５０を装着する。これにより、拡張カセット１５０から、給紙口１１１Ａおよび給紙口１１２Ａを介して印刷機構１２０への給紙が可能となる。記録紙は、印刷機構１２０から、排紙口１１１Ｂおよび排紙口１１２Ｂを介して排紙される。図４に示すように、拡張カセット１５０は薄型の直方体形状を有しており、内部に複数枚の記録紙が収容可能である。なお、記録紙として例えばＡ８サイズ（５２×７４ｍｍ）のラベル用紙を用いることができる。これにより、端末装置１００でラベル用紙に印刷したラベルを直ちに手帳等に貼り付けることができる。
【００２２】
図５は、端末装置１００の分割状態を示す図である。図５に示すように、筐体１１０は、電源部１１３とプリンタ部１１４とに分割することができ、分割された電源部１１３はタッチペン４００と接続することができる。タッチペン４００はダイヤルスイッチ１３０Ｂを有し、電源部１１３はキャップ１１０Ｂを有し、プリンタ部１１４はフック１１０Ａ、キャップ１１０Ｃ、印刷機構１２０、およびダイヤルスイッチ１３０Ａを有する。タッチペン４００は電源部１１３からの電力によって動作する。タッチペン４００にはアンテナ１３４Ａが設けられており、プリンタ部１１４にはアンテナ１３４Ｂが設けられている。タッチペン４００は、その先端４０２による外部の情報処理装置が備えるタッチパネルの接触操作により、外部の情報処理装置から取得したオブジェクトを、ＢＬＥなどによる無線通信によってプリンタ部１１４へ送信する。プリンタ部１１４は、拡張カセット１５０から供給される電力によって動作する。プリンタ部１１４は、タッチペン４００から送信されたオブジェクトを印刷機構１２０によって印刷する。
【００２３】
図６は、タッチペンと端末装置と拡張カセットとを併設した時のブロック図である。図７は、タッチペン分離時のブロック図である。
【００２４】
図６では、拡張カセット１５０が接続された端末装置１００と、タッチペン４００とが併用される。図６の状態では、プリンタ部１１４およびタッチペン４００の各々に電源部１１３が接続されているため、プリンタ部１１４およびタッチペン４００は各々に接続された電源部１１３からの電力により動作することができる。
【００２５】
図７ではタッチペン４００のみに電源部１１３が接続され、プリンタ部１１４には電源部１１３が接続されていない。そのため、タッチペン４００のみが電源部１１３からの電力により動作する。一方、プリンタ部１１４は、接続された拡張カセット１５０に設けられた電源から供給される電力で動作する。
【００２６】
図６および図７ではともに、プリンタ部１１４に拡張カセット１５０が接続されているため、図６および図７のいずれの状態でも、プリンタ部１１４は拡張カセット１５０が備える外部電源１５１からの電力により動作することができる。なお、図６において、プリンタ部１１４に接続される電源部１１３とタッチペン４００に接続される電源部１１３とは機能は同一であるが、互いに独立したモジュールである。
【００２７】
なお、本実施形態ではタッチペン４００は「第１の本体部」の一例であり、端末装置１００のプリンタ部１１４は「第２の本体部」の一例である。また、端末装置１００およびタッチペン４００の組み合わせが「端末装置」の一例である。タッチペン４００および端末装置１００は印刷機能の有無を除いて操作部、接触部、通信部などの同様の機能を有する。
【００２８】
図８は、プリンタ部とタッチペンと電源部のハードウェア構成を示すブロック図である。図８に示すように、タッチペン４００は、アンテナ１３４Ａおよびダイヤルスイッチ１３０Ｂに加え、ＣＰＵ（Central Processing Unit）８０１、メモリ８０２、および通信Ｉ／Ｆ（Interface）８０３を備えている。各ハードウェアは、バス８００を介して相互に接続されている。
【００２９】
ＣＰＵ８０１は、メモリ８０２に記憶されている各種プログラムを実行し、タッチペン４００の各種動作を制御する。メモリ８０２は、ＣＰＵ８０１により実行される各種プログラム、ＣＰＵ８０１が各種プログラムを実行するために必要なデータを記憶する。メモリ８０２としては、ＲＯＭ（Read Only Memory）、ＲＡＭ（Random Access Memory）等が挙げられる。通信Ｉ／Ｆ８０３は無線通信を制御する。本実施形態では、通信Ｉ／Ｆ８０３による無線通信方式としてＢＬＥを用いている。但し、これに限らず、Ｗｉ−Ｆｉ、ＮＦＣ（Near Field Communication）等を用いてもよい。
【００３０】
電源部１１３は、電源制御回路８０４、バッテリ８０５、ＵＳＢコネクタ８０６、および充電回路８０７を備えている。電源制御回路８０４はプリンタ部１１４およびタッチペン４００の電源を制御する。電源制御回路８０４は、バッテリ８０５とプリンタ部１１４およびタッチペン４００の各部との間に介在し、ダイヤルスイッチ１３０の操作に応じてプリンタ部１１４およびタッチペン４００の各部への電力供給を制御する。ダイヤルスイッチ１３０Ａ，１３０Ｂの操作によって、電源制御回路８０４はプリンタ部１１４およびタッチペン４００の電源オン、オフを切り替えることができる。バッテリ８０５は、プリンタ部１１４およびタッチペン４００の各部へ直流電力を供給する。本実施形態では、バッテリ８０５としてリチウムイオン電池、リチウムイオンポリマー電池、ニッケル水素電池等の二次電池を用いている。但し、バッテリ８０５として、酸化銀電池、リチウム電池等の一次電池を用いてもよい。ＵＳＢコネクタ８０６は、キャップ１１０Ｂを取り外すことにより露出し、充電器が接続される。充電回路８０７は、充電器からＵＳＢコネクタ８０６を介して供給された電力によりバッテリ８０５を充電する。
【００３１】
プリンタ部１１４は、印刷機構１２０、ダイヤルスイッチ１３０Ａ、インジケータ１３２、およびアンテナ１３４Ｂに加え、ＣＰＵ８１１、メモリ８１２、通信Ｉ／Ｆ８１３、および拡張Ｉ／Ｆ８１４を備えている。ＣＰＵ８１１は、メモリ８１２に記憶されている各種プログラムを実行し、プリンタ部１１４の各種動作を制御する。メモリ８１２は、ＣＰＵ８１１により実行される各種プログラム、ＣＰＵ８１１が各種プログラムを実行するために必要なデータを記憶する。メモリ８１２としては、ＲＯＭ（Read Only Memory）、ＲＡＭ（Random Access Memory）等が挙げられる。通信Ｉ／Ｆ８１３は無線通信を制御する。本実施形態では、通信Ｉ／Ｆ８１３による無線通信方式としてＢＬＥを用いているが、Ｗｉ−Ｆｉ、ＮＦＣ（Near Field Communication）等を用いてもよい。
【００３２】
拡張Ｉ／Ｆ８１４は、プリンタ部１１４に装着された各種拡張カセットと電気的に接続される。プリンタ部１１４には、多様な拡張カセット１５０を装着することが可能である。プリンタ部１１４の外部電源として機能する拡張カセット１５０が装着された場合、拡張Ｉ／Ｆ８１４は拡張カセット１５０と電気的に接続され、拡張カセットからプリンタ部１１４に電力が供給されるようにする。また、複数種類の記録紙の中から任意の記録紙を選択的に供給可能な拡張カセット１５０がプリンタ部１１４に装着された場合、拡張カセット１５０に記録紙の種類を指示する信号を出力する。
【００３３】
なお、ダイヤルスイッチ１３０Ａとダイヤルスイッチ１３０Ｂとは同様の操作を行うことができる。以降の説明ではダイヤルスイッチ１３０Ａ，１３０Ｂを区別しない場合ダイヤルスイッチ１３０と示す。
【００３４】
図９は、プリンタ部とタッチペンの機能構成を示すブロック図である。図９に示すように、タッチペン４００は、通信部９０１、受付部９０２、取得部９０３、保持部９０４、および出力制御部９０５を備える。
【００３５】
通信部９０１は、スマートフォン２００、スマートフォン３００、プリンタ部１１４等の他の装置との通信を制御する。通信部９０１は、ＢＬＥ無線通信による他の装置との通信接続、ペアリング、データの送受信を制御する。ペアリングとは、ヘッダー仕様、ルーティング等により、ソフトウェアによるコネクションのセキュリティ確保のためのチェックを行うことである。
【００３６】
受付部９０２は、ダイヤルスイッチ１３０Ｂのプッシュ操作および回転操作によるコピー操作、ペースト操作、プリント操作、回転操作等の操作入力を受け付ける。
【００３７】
取得部９０３は、タッチペン４００によってスマートフォン２００のタッチパネル２０３に表示されているオブジェクトが選択されている状態で、ダイヤルスイッチ１３０Ｂのプッシュ操作が受け付けられるとオブジェクトの選択を確定し、ダイヤルスイッチ１３０Ｂのコピー操作が受け付けられるとスマートフォン２００にオブジェクトのアップロードを介して要求し、これに応じてスマートフォン２００から送信されてくるオブジェクトを取得する。
【００３８】
保持部９０４は、取得部９０３が取得したオブジェクトをメモリ８０２に保持する。
【００３９】
出力制御部９０５は、ダイヤルスイッチ１３０Ｂによる操作入力に応じて、メモリ８０２に保持されたオブジェクトを出力する。例えば、出力制御部９０５は、タッチペン４００によってスマートフォン３００のタッチパネル３０３上の位置が選択されている状態で、ダイヤルスイッチ１３０Ｂのペースト操作が受け付けられると、メモリ８０２に保持されたオブジェクトをスマートフォン３００へ送信し、タッチパネル３０３の選択位置に表示させる。また、出力制御部９０５は、印刷機能が選択されている状態で、ダイヤルスイッチ１３０Ｂのプリント操作が受け付けられると、メモリ８０２に保持されたオブジェクトをプリンタ部１１４へ送信し、プリンタ部１１４によって印刷する。
【００４０】
プリンタ部１１４は、通信部９１１、印刷制御部９１２、受付部９１３、取得部９１４、保持部９１５、および出力制御部９１６を備える。通信部９１１は、タッチペン４００との通信を制御する。通信部９１１は、ＢＬＥ無線通信による、タッチペン４００との通信接続、ペアリング、データの送受信を制御する。印刷制御部９１２は、通信部９１１がタッチペン４００から受信した印刷データを用いて、印刷機構１２０による印刷を行う。受付部９１３は、ダイヤルスイッチ１３０Ａのプッシュ操作および回転操作による各種操作入力を受け付ける。取得部９１４、保持部９１５、および出力制御部９１６は、タッチペン４００の取得部９０３、保持部９０４、および出力制御部９０５と同様である。
【００４１】
図１０は、端末装置１００によるコピーペースト操作を説明する図である。図１０では、電源部１１３とプリンタ部１１４とが接続されており、電源部１１３の先端にキャップ１１０Ｂに代えて「接触部」の一例であるペン型キャップ１１０Ｆが装着されており、ペン型キャップ１１０Ｆの先端によりタッチパネル２０３の接触操作を行う。まず、図１０（ａ）に示すように、ペン型キャップ１１０Ｆの先端によりタッチパネル２０３の位置Ｐ１に表示されたオブジェクトを選択する。ダイヤルスイッチ１３０のプッシュ操作により、端末装置１００からスマートフォン２００に無線通信でオブジェクトの選択を通知し、オブジェクトの選択が確定する。例えばプッシュ操作を１回行えばコピー操作となり、プッシュ操作を２回行えばカット操作となる。なお、ダイヤルスイッチ１３０のプッシュ操作に代えて、スマートフォン２００のタッチパネル２０３へのダブルクリック操作によりオブジェクトを選択し、スマートフォン２００のメニュー画面の「選択」を選択することにより、オブジェクトの選択を確定することもできる。
【００４２】
次に、図１０（ｂ）に示すように、ダイヤルスイッチ１３０を時計回りに回転操作することにより、端末装置１００からスマートフォン２００へオブジェクトの送信が要求され、これに応じて、スマートフォン２００から端末装置１００へオブジェクトがＢＬＥ無線通信により送信される。なお、ダイヤルスイッチ１３０の回転操作に代えて、スマートフォン２００のメニュー画面の「コピー」を選択することにより、端末装置１００へオブジェクトを送信することもできる。端末装置１００は、スマートフォン２００から受信したオブジェクトをメモリ８１２に保持する。
【００４３】
次に、図１０（ｃ）に示すように、ペン型キャップ１１０Ｆの先端によりタッチパネル３０３のペースト位置Ｐ２を選択する。ダイヤルスイッチ１３０の２回のプッシュ操作により、オブジェクトのペースト位置Ｐ２が確定する。そして、図１０（ｄ）に示すように、ダイヤルスイッチ１３０を反時計回りに回転操作することにより、メモリ８１２に保持されたオブジェクトがスマートフォン３００に送信されて、ペースト位置Ｐ２に表示される。なお、ダイヤルスイッチ１３０の操作に代えて、タッチパネル３０３を備えた表示部に表示されたメニュー画面で「ペースト」を選択することにより、オブジェクトをペースト位置Ｐ２に表示させることもできる。
【００４４】
端末装置１００は、タッチパネル２０３の位置Ｐ１から取得したオブジェクトを同様のペースト操作によりタッチパネル２０３の他の位置にペーストすることにより、オブジェクトをタッチパネル２０３上で複写することができる。また、スマートフォン２００、３００の他の装置にオブジェクトをコピーできる。
【００４５】
図１１は、端末装置１００およびスマートフォン２００によるコピー処理の手順を示すシーケンス図である。
【００４６】
まず、スマートフォン２００がスタンバイしている状態で（Ｓ１１０１）、端末装置１００でスマートフォン２００のアプリの起動操作が行われると（Ｓ１１０２）、スマートフォン２００はアプリを起動する（Ｓ１１０３）。続いて、タッチパネル２０３を備えた表示部に表示されたオブジェクトにペン型キャップ１１０Ｆの先端を接触させる選択操作が行われると（Ｓ１１０４）、スマートフォン２００はオブジェクトを選択する（Ｓ１１０５）。さらに、ダイヤルスイッチ１３０のプッシュ操作によるオブジェクト確定操作が行われると（Ｓ１１０６）、端末装置１００は、スマートフォン２００との通信接続およびペアリングを行い（Ｓ１１０７）、スマートフォン２００にオブジェクトの確定要求を送信する（Ｓ１１０８）。スマートフォン２００は端末装置１００からオブジェクトの確定要求を受信すると、オブジェクトの選択を確定し（Ｓ１１０９）、オブジェクトの選択の確定通知を端末装置１００へ送信する（Ｓ１１１０）。
【００４７】
続いて、ダイヤルスイッチ１３０の回転操作によるオブジェクトの送信要求操作が行われると（Ｓ１１１１）、端末装置１００はスマートフォン２００との通信接続およびペアリングを行い（Ｓ１１１２）、スマートフォン２００にオブジェクトの送信要求を送信する（Ｓ１１１３）。スマートフォン２００は端末装置１００からオブジェクトの送信要求を受信すると、端末装置１００へオブジェクトを送信する（Ｓ１１１４）。端末装置１００は、スマートフォン２００から送信されたオブジェクトを取得すると（Ｓ１１１５）、スマートフォン２００にオブジェクトの取得完了通知を行い（ステップＳ１１１６）、オブジェクトをメモリ８０２に保持する（ステップＳ１１１７）。
【００４８】
図１２は、端末装置１００およびスマートフォン３００によるペースト処理の手順を示すシーケンス図である。
【００４９】
まず、スマートフォン３００がスリープ状態にあるとき（Ｓ１２０１）、ペン型キャップ１１０Ｆの先端がタッチパネル３０３に接触すると（Ｓ１２０２）、スマートフォン３００が起動する（Ｓ１２０３）。そして、端末装置１００でスマートフォン３００のアプリの起動操作が行われると（Ｓ１２０４）、スマートフォン３００はアプリを起動する（Ｓ１２０５）。続いて、タッチパネル３０３に端末装置１００の先端を接触させるペースト位置の選択操作が行われると（Ｓ１２０６）、スマートフォン３００は接触された位置をペースト位置として選択する（Ｓ１２０７）。さらに、ダイヤルスイッチ１３０のプッシュ操作によるペースト位置確定操作が行われると（Ｓ１２０８）、端末装置１００は、スマートフォン３００との通信接続およびペアリングを行い（Ｓ１２０９）、スマートフォン３００にペースト位置の確定要求を送信する（Ｓ１２１０）。スマートフォン３００は端末装置１００からペースト位置の確定要求を受信すると、ペースト位置を確定し（Ｓ１２１１）、ペースト位置の確定通知を端末装置１００へ送信する（Ｓ１２１２）。
【００５０】
続いて、ダイヤルスイッチ１３０の回転操作によるオブジェクトの送信操作が行われると（Ｓ１２１３）、端末装置１００はスマートフォン３００との通信接続およびペアリングを行い（Ｓ１２１４）、スマートフォン３００にオブジェクトを送信する（Ｓ１２１５）。スマートフォン３００は端末装置１００からオブジェクトを受信すると（Ｓ１２１６）、端末装置１００にオブジェクトの受信完了通知を行い（Ｓ１２１７）、オブジェクトをペースト位置に表示する（ステップＳ１２１８）。
【００５１】
なお、図１０〜図１２では、電源部１１３とプリンタ部１１４とが結合した状態の端末装置１００による操作および処理を示している。タッチペン４００はプリンタ部１１４と同様の機能を有しているため、プリンタ部１１４から分離した状態の電源部１１３と結合した状態のタッチペン４００によって同様の操作および処理を行うことができる。
【００５２】
図１３は、タッチペン４００による印刷操作を説明する図である。図１３では、電源部１１３とタッチペン４００とが接続されており、「接触部」の一例であるタッチペン４００の先端４０２によりタッチパネル２０３の接触操作を行う。
【００５３】
まず、図１３（ａ）に示すように、タッチペン４００の先端４０２でタッチパネルを接触させてスマートフォン２００アプリを起動した後、タッチパネル２０３の位置Ｐ１に表示されたオブジェクトを選択する。そして、ダイヤルスイッチ１３０Ｂのプッシュ操作によりオブジェクトの選択が確定する。なお、例えば、プッシュ操作を１回行えばコピー操作となり、プッシュ操作を２回行えばカット操作となる。また、スマートフォン２００のダブルクリック操作によりオブジェクトを選択し、メニュー画面の「選択」を選択してオブジェクトの選択を確定することもできる。
【００５４】
次に、図１３（ｂ）に示すように、ダイヤルスイッチ１３０Ｂを時計回りに回転操作することにより、タッチペン４００からスマートフォン２００へオブジェクトの送信が要求される。これに応じて、スマートフォン２００からタッチペン４００へオブジェクトがＢＬＥ無線通信により送信される。なお、スマートフォン２００のメニュー画面の「コピー」を選択することにより、タッチペン４００へオブジェクトを送信することもできる。タッチペン４００は、スマートフォン２００から受信したオブジェクトをメモリ８０２に保持する。
【００５５】
次に、図１３（ｃ）に示すように、ダイヤルスイッチ１３０Ｂの長押し後の回転操作により、印刷データの送信先としてプリンタ部１１４を選択し、さらにダイヤルスイッチ１３０Ｂの２回のプッシュ操作により送信先を確定し、プリンタ部１１４に送信許可を要求する。プリンタ部１１４は、送信許可要求を受信するとインジケータが点滅し、その間、ダイヤルスイッチ１３０Ｂの１回のプッシュ操作が行われると印刷データの送信を許可し、ダイヤルスイッチ１３０Ｂの２回のプッシュ操作が行われると印刷データの送信を拒否する。タッチペン４００のインジケータは、赤色に点滅することで送信許可の要求中を示し、緑色に点灯することで送信許可を示し、赤色に点灯することで送信拒否を示す。
【００５６】
タッチペン４００は、印刷データの送信が許可されると、図１３（ｄ）に示すダイヤルスイッチ１３０Ａの反時計回りの回転操作により、メモリ８０２に保持されたオブジェクトの印刷データをプリンタ部１１４に送信して、プリンタ部１１４にオブジェクトを印刷させる。
【００５７】
タッチペン４００は、送信先としてスマートフォン、他の端末装置１００等を選択して同様の操作を行うことにより、メモリ８０２に保持されたオブジェクトを他の装置へ送信して、他の装置へ印刷またはファイリングすることができる。
【００５８】
図１４は、タッチペン４００による印刷処理の手順を示すシーケンス図である。なお、図１４の処理を開始する前に、タッチペン４００には、図１１と同様の処理によりスマートフォン２００から取得したオブジェクトがメモリ８０２に保持されているものとする。まず、ダイヤルスイッチ１３０Ｂの長押し後の回転操作により、印刷データの送信先としてプリンタ部１１４を選択し、ダイヤルスイッチ１３０Ｂの２回のプッシュ操作により送信先を確定する（Ｓ１４０１）。タッチペン４００は、プリンタ部１１４との通信接続およびペアリングを行い（Ｓ１４０２）、プリンタ部１１４に送信許可を要求する（Ｓ１４０３）。ダイヤルスイッチ１３０Ａの１回のプッシュ操作が行われると、プリンタ部１１４は印刷データの送信を許可し（Ｓ１４０４）、タッチペン４００に送信許可を通知する（Ｓ１４０５）。これにより、タッチペン４００は、プリンタ部１１４を送信先として確定し（Ｓ１４０６）、インジケータが送信許可を示す緑色に点灯する（Ｓ１４０７）。続いてタッチペン４００においてダイヤルスイッチ１３０Ｂの反時計回りの回転操作がなされると（Ｓ１４０８）、タッチペン４００はＢＬＥ無線通信によりオブジェクトの印刷データをプリンタ部１１４へ送信する（Ｓ１４０９）。プリンタ部１１４はタッチペン４００から送信された印刷データを用いてオブジェクトを印刷し（Ｓ１４１０）、タッチペン４００に印刷完了を通知する（Ｓ１４１１）。
【００５９】
図１５は、端末装置１００による回転操作を説明する図である。図１５では、電源部１１３とプリンタ部１１４とが接続されており、電源部１１３の先端にキャップ１１０Ｂに代えて「接触部」の一例であるペン型キャップ１１０Ｆが装着されており、ペン型キャップ１１０Ｆの先端によりタッチパネル２０３の接触操作を行う。まず、図１５（ａ）に示すように、ペン型キャップ１１０Ｆによりタッチパネル２０３の位置Ｐ１に表示されたオブジェクトを選択する。また、ダイヤルスイッチ１３０の３回のプッシュ操作により、オブジェクトの選択および回転操作が確定する。次に、端末装置１００によりオブジェクトの回転軸を選択した後、図１５（ｂ）に示すようにダイヤルスイッチ１３０を回転操作することにより、オブジェクトを位置Ｐ１で回転させることができる。例えばオブジェクトの中心が回転軸として選択された場合、オブジェクトはその中心を回転中心として回転し、オブジェクトの角部が回転軸として選択された場合、オブジェクトは角部を回転中心として回転する。
【００６０】
図１６は、端末装置１００およびスマートフォン２００による回転処理の手順を示すシーケンス図である。まず、スマートフォン２００がスタンバイしている状態から（Ｓ１６０１）、端末装置１００でスマートフォン２００のアプリの起動操作が行われると（Ｓ１６０２）、スマートフォン２００はアプリを起動する（Ｓ１６０３）。続いて、タッチパネル２０３を備えた表示部に表示されたオブジェクトにペン型キャップ１１０Ｆの先端を接触させる選択操作が行われると（Ｓ１６０４）、スマートフォン２００はオブジェクトを選択する（Ｓ１６０５）。さらに、ダイヤルスイッチ１３０の３回のプッシュ操作が行われると（Ｓ１６０６）、端末装置１００は、スマートフォン２００との通信接続およびペアリングを行い（Ｓ１６０７）、スマートフォン２００にオブジェクトの回転要求を送信する（Ｓ１６０８）。スマートフォン２００は端末装置１００からオブジェクトの回転要求を受信すると、オブジェクトの回転を確定する（Ｓ１６０９）。
【００６１】
続いて、端末装置１００によりオブジェクトの回転軸が選択され（Ｓ１６１０）、ダイヤルスイッチ１３０の１回のプッシュ操作が行われると（Ｓ１６１１）、端末装置１００はスマートフォン２００との通信接続およびペアリングを行い（Ｓ１６１２）、スマートフォン２００に回転軸確定要求を送信する（Ｓ１６１３）。スマートフォン２００は回転軸確定要求を受信するとオブジェクトの回転軸を確定する（Ｓ１６１４）。
【００６２】
続いて、ダイヤルスイッチ１３０の回転操作が行われると（Ｓ１６１５）、端末装置１００はスマートフォン２００に回転要求を送信する（Ｓ１６１６）。スマートフォン２００は回転要求を受信するとオブジェクトを回転する（Ｓ１６１７）。
【００６３】
そして、端末装置１００にてダイヤルスイッチ１３０のプッシュ操作が行われると（Ｓ１６１８）、端末装置１００は、スマートフォン２００に回転確定要求を送信する（Ｓ１６１９）。スマートフォン２００は回転確定要求を受信するとオブジェクトの回転を確定し（Ｓ１６２０）、端末装置１００へ完了通知を送信する（Ｓ１６２１）。
【００６４】
なお、図１５および図１６では、電源部１１３とプリンタ部１１４とが結合した状態の端末装置１００による操作および処理を示しているが、タッチペン４００はプリンタ部１１４と同様の機能を有しているため、プリンタ部１１４から分離した状態の電源部１１３と結合した状態のタッチペン４００によって同様の操作および処理を行うことができる。
【００６５】
以下、端末装置１００およびタッチペン４００のその他の機能について説明する。
【００６６】
端末装置１００およびタッチペン４００は、タッチパネル２０３を備えた表示部上のオブジェクトをタッチして選択したうえで行われるダイヤルスイッチ１３０のプッシュ操作によりオブジェクトの選択を確定し、サブメニューで拡縮機能が選択された後に行われるダイヤルスイッチ１３０の回転操作により、タッチパネル２０３上でオブジェクトを拡大および縮小することができる。
【００６７】
端末装置１００およびタッチペン４００は、タッチパネル２０３上のオブジェクトをタッチして選択したうえで行われるダイヤルスイッチ１３０のプッシュ操作によりオブジェクト選択を確定し、ダイヤルスイッチ１３０を押下した状態のまま接触位置が移動したときに、タッチパネル２０３を備えた表示部上でオブジェクトを移動することができる。ダイヤルスイッチ１３０の押下が解除されると、オブジェクトの移動先の位置が確定する。
【００６８】
端末装置１００およびタッチペン４００は、タッチパネル２０３を備えた表示部に表示されている画像の一部を、三角枠、四角枠、円枠等の選択枠によって切り取り、スマートフォン２００からオブジェクトとして取得することができる。例えば、サブメニューで四角枠の切り取りを行うことを選択した後、タッチパネル２０３上で４角を指定し、その都度ダイヤルスイッチ１３０をプッシュ操作することで切り取る範囲の４角を確定し、さらに、原点を押下して選択した後、ダイヤルスイッチ１３０を２回プッシュ操作することで、切り取り対象の四角枠の範囲が確定する。
【００６９】
端末装置１００およびタッチペン４００は、コピー操作以外の方法により、スマートフォン２００，３００、他の端末装置１００等から印刷データを受信して印刷を行うこともできる。また、印刷データをメモリ８０２，８１２に記憶させることにより、他の情報処理装置と通信接続されていない状態であっても、メモリ８０２，８１２内の印刷データを用いて印刷を行うことができる。
【００７０】
端末装置１００およびタッチペン４００は、１または複数のスマートフォン等の情報処理装置とグループを構成し、ＢＬＥ無線通信により情報処理装置とグループ間通信を行うことができる。例えば、端末装置１００またはタッチペン４００がグループ間通信のマスタとして機能し、情報処理装置がスレーブとして機能する。または、情報処理装置がグループ間通信のマスタとして機能し、端末装置１００またはタッチペン４００がスレーブとして機能する。端末装置１００およびタッチペン４００は、グループ間通信により情報処理装置と各種データを共有することができる。
【００７１】
端末装置１００およびタッチペン４００は、１または複数の他の端末装置１００（以下、「端末装置１００Ｂ」とする）とグループを構成し、ＢＬＥ無線通信により端末装置１００Ｂとグループ間通信を行うことができる。例えば、端末装置１００またはタッチペン４００がグループ間通信のマスタとして機能し、端末装置１００Ｂがスレーブとして機能する。端末装置１００およびタッチペン４００は、グループ間通信により端末装置１００Ｂと各種データを共有することができる。なお、端末装置１００Ｂは端末装置１００と同様の機能を有するものである。したがって、端末装置１００Ｂは、端末装置１００と同様に記録紙への印刷を行ったり、グループ間通信を行ったりすることができる。また、端末装置１００Ｂは、端末装置１００と同様にスマートフォンとのグループ間通信を行ったり、マスタとして機能したりすることもできる。
【００７２】
端末装置１００およびタッチペン４００は、１または複数のセンサデバイスとグループを構成し、ＢＬＥ無線通信によりセンサデバイスとグループ間通信を行うことができる。例えば、端末装置１００またはタッチペン４００がグループ間通信のマスタとして機能し、センサデバイスがスレーブとして機能する。センサデバイスは、如何なるセンサデバイスであってもよく、例えば温度センサ、気圧センサ、位置センサ、加速度センサ等が挙げられる。端末装置１００およびタッチペン４００は、グループ間通信によりセンサデバイスから温度、気圧、位置、加速度等の各種検出データを収集する。そして、端末装置１００およびタッチペン４００は、検出データをメモリ８０２，８１２に格納したり、印刷機構１２０によって記録紙に印刷する。検出データをラベル用紙に印刷することにより、検出データが印刷されたラベル用紙を手帳等に貼り付けることができる。また、端末装置１００およびタッチペン４００は、グループ間通信によりスマートフォン２００，３００へ検出データを出力することができる。また、端末装置１００およびタッチペン４００は、検出データをグループ間通信により他の端末装置とシェアすることができる。
【００７３】
端末装置１００およびタッチペン４００は、グループを構成する他の装置との間で送受信されるデータに、所定のデータ構造を有するコンテキストデータと、ライブラリに格納されている複数の装置間で共有のオブジェクトとを用いることにより、通信データ量を削減することができる。
【００７４】
例えば、ライブラリには、オブジェクトと、オブジェクトに付与されたオブジェクト識別子とが格納されている。また、ライブラリには、位置情報と、位置情報に付与された位置識別子とが格納されている。端末装置１００およびタッチペン４００は、スマートフォン２００から、印刷対象のオブジェクトを特定するためのオブジェクト識別子、印刷位置を特定するための位置識別子等が設定されたコンテキストデータを取得する。そして、端末装置１００およびタッチペン４００は、コンテキストデータに設定されているオブジェクト識別子および位置識別子から、印刷対象のオブジェクトおよび印刷位置を特定する。端末装置１００およびタッチペン４００は、予めスマートフォン２００とライブラリを同期させることにより、印刷対象のオブジェクトをライブラリに保持している。このため、端末装置１００およびタッチペン４００は、スマートフォン２００から印刷対象のオブジェクトを受け取ることなく、当該オブジェクトを自身のライブラリから取得して印刷することができる。
【００７５】
端末装置１００およびタッチペン４００は、グループを構成する他の装置との間で、オブジェクトが格納されているライブラリを同期することができる。例えば、端末装置１００およびタッチペン４００は、自身のライブラリに格納されているローカルオブジェクトを他の装置へ送信して他の装置のライブラリに格納し、他の装置のライブラリに格納されているオブジェクトを受信して自身のライブラリに格納することにより、他の装置との間でライブラリを同期することができる。
【００７６】
また、端末装置１００およびタッチペン４００は、グループを構成する他の装置からコンテキストデータによって収集した、共通のアプリ用の複数のオブジェクトを結合して、結合されたオブジェクトをコンテキストデータにより他の装置へ配信することができる。これにより、グループを構成する複数の装置の各々は、同じ内容の出力データを共有して、表示、印刷等の出力を行うことができる。
【００７７】
端末装置１００には、各種拡張ユニットを装着できる。図１７は、端末装置１００への拡張ユニットの装着例を示す図である。図１７（ａ）に示す例では、筐体１１０の先端（Ｘ正側端部）にキャップ１１０Ｂの代わりに着脱可能な拡張ユニット１１０Ｄが設けられている。また、筐体１１０の後端にはキャップ１１０Ｃの代わりに着脱可能な拡張ユニット１１０Ｅが設けられている。
【００７８】
拡張ユニット１１０Ｄはペン先ユニットである。拡張ユニット１１０Ｄにはボールペンなどの紙への筆記が可能な筆記具が設けられており、拡張ユニット１１０Ｄの先端から筆記具の先端が突出している。端末装置１００に拡張ユニット１１０Ｄを装着することにより、拡張ユニット１１０Ｄに設けられた筆記具で印刷機構１２０から出力された記録紙や手帳への筆記を行うことができる。端末装置１００は、印刷機能、グループ間通信機能に加えて筆記機能を有するため、端末装置１００の機能性をより高めることが可能となる。端末装置１００は、逐次印字したラベルをユーザがスクラップブック、手帳等に貼っていき、必要なコメントを手書きすることで、機能的・効果的なファイル管理ツールとなる。
【００７９】
拡張ユニット１１０Ｅはレーザポインタユニットである。拡張ユニット１１０Ｅの内部にはレーザユニットが設けられており、拡張ユニット１１０Ｅの後端面にはレーザ光の出射孔が形成されている。端末装置１００に拡張ユニット１１０Ｅを装着することにより、拡張ユニット１１０Ｅから出射されたレーザ光をホワイトボードなどの任意の指示対象物に向けて照射できる。端末装置１００は、印刷機能、グループ間通信機能に加えてレーザポインタ機能を有するため、端末装置１００の機能性をより高めることが可能となる。なお、拡張ユニット１１０Ｅは接続端子により端末装置１００に電気的に接続され、ダイヤルスイッチ１３０の操作によりレーザユニットの動作を制御することが可能である。
【００８０】
図１７（ｂ）ではプリンタ部１１４から分離した電源部１１３に対してタッチペン４００が接続されている。これによりタッチペン４００は先端４０２によってタッチパネルの接触操作を行い、電源部１１３から供給された電力により動作することができる。この場合も電源部１１３のタッチペン４００とは反対側の先端にあるキャップ１１０Ｂの代わりに各種拡張ユニットを装着することができる。
【００８１】
端末装置１００およびタッチペン４００は、オブジェクトをラベル用紙に印刷することができる。ユーザは自身の手帳にオブジェクトが印刷されたラベル用紙を貼り付けることができる。端末装置１００およびタッチペン４００は、手帳の記録面のサイズに応じてラベル用紙のサイズを変更するようにしてもよい。ラベル用紙のサイズ変更は、拡張カセット１５０の変更によるものでもよく、拡張カセット１５０に収納されるラベル用紙の変更によってもよい。また、拡張カセット１５０に複数サイズのラベル用紙を収納できる場合は、その中から記録面のサイズに応じたラベル用紙を選択的に用いてもよい。なお、ユーザは、ペン先ユニットにより記録面に文字、図形等を筆記することが可能である。
【００８２】
端末装置１００およびタッチペン４００は、動作モード切替部を備える。動作モード切替部は、端末装置１００およびタッチペン４００の動作モードを、グループ間通信でマスタとして機能するマスタモードとスレーブとして機能するスレーブモードとの間で切り替える。例えば、動作モード切替部は、ダイヤルスイッチ１３０の操作に応じて端末装置１００およびタッチペン４００の動作モードを切り替える。例えば、端末装置１００およびタッチペン４００は初期状態においてスレーブモードで動作し、ダイヤルスイッチ１３０が操作された場合に動作モード切替部によってマスタモードに切り替わる。端末装置１００およびタッチペン４００の動作モードは、電源がオフとなっても保持され、端末装置１００およびタッチペン４００は、マスタモードにあるときに電源がオフになった場合、再び電源がオンになるとマスタモードで起動する。反対に、端末装置１００およびタッチペン４００は、スレーブモードにあるときに電源がオフになった場合、再び電源がオンになるとスレーブモードで起動する。また、端末装置１００およびタッチペン４００は、モード切替動作を行っているときに電源をオフにする操作がなされた場合、直ちに電源をオフにするのではなく、モード切替のための初期化処理のため電源がオンにされた状態を一時的に保持しておき、その間に、動作モードを確実に切り替えて切り替え完了をユーザにインジケータ１３２などを用いて通知し、その後電源をオフにする。
【００８３】
端末装置１００およびタッチペン４００は、グループ間通信に関し、データ収集部、出力データ生成部、およびデータ配信部を備える。データ収集部は、端末装置１００およびタッチペン４００がマスタモードであるとき、グループを構成する他のスレーブモードの端末装置１００およびタッチペン４００から、グループ間通信によってコンテキストデータを用いたアプリケーション用のデータを収集する。例えば、データ収集部は、スレーブモードの端末装置の各々から、印刷アプリケーション用のデータ、ＳＮＳアプリケーション用のデータ等を収集する。出力データ生成部は、データ収集部が収集したアプリケーション用のデータを用いて、印刷アプリケーション用の出力データ、ＳＮＳのアプリケーション用の所定のアプリケーション用の出力データ等を生成する。データ配信部は、出力データ生成部が生成した印刷アプリケーション用の出力データ、ＳＮＳのアプリケーション用の出力データ等のアプリケーション用の出力データを、スレーブモードの各端末装置へ配信する。
【００８４】
端末装置１００およびタッチペン４００は、グループ間通信に関するグループ管理部を備える。グループ管理部は、予め定義されたグループ毎に、グループＩＤと、グループに属するユーザ、すなわちグループへの参加が許可されたユーザのユーザＩＤとを管理テーブルによって管理する。端末装置１００およびタッチペン４００は、例えばマスタモードにあるとき、ダイヤルスイッチ１３０の操作によって、グループ管理部が管理する複数のグループからグループ間通信に使用するグループを選択する。そして、マスタモードの端末装置１００およびタッチペン４００は、選択されたグループに属するスレーブモードの情報処理装置に接続することにより、グループを構成する。
【００８５】
以上説明したように、本実施形態の端末装置１００およびタッチペン４００は、ダイヤルスイッチ１３０の操作により、スマートフォン２００からオブジェクトを容易に取得することができる。また、端末装置１００およびタッチペン４００は、スマートフォン２００から取得したオブジェクトを、印刷だけでなく、移動、回転、ペースト等の様々な用途に用いることができる。したがって、本実施形態の端末装置１００およびタッチペン４００によれば、オブジェクトを容易に取得して複数の用途に利用することができる。
【００８６】
以上、本発明の好ましい実施形態について詳述したが、本発明はこれらの実施形態に限定されるものではなく、特許請求の範囲に記載された本発明の要旨の範囲内において、種々の変形又は変更が可能である。
【符号の説明】
【００８７】
１０  通信システム
１００  端末装置
１１３  電源部
１１４  プリンタ部（第２の本体部）
１２０  印刷機構（印刷部）
１３０  ダイヤルスイッチ（操作部）
２００  スマートフォン（第１の装置）
３００  スマートフォン（第２の装置）
４００  タッチペン（第１の本体部）
４０２  先端（接触部）
９０３  取得部
９０５  出力制御部
【図１】
2019185635.tif 000003
【図２】
2019185635.tif 000004
【図３】
2019185635.tif 000005
【図４】
2019185635.tif 000006
【図５】
2019185635.tif 000007
【図６】
2019185635.tif 000008
【図７】
2019185635.tif 000009
【図８】
2019185635.tif 000010
【図９】
2019185635.tif 000011
【図１０】
2019185635.tif 000012
【図１１】
2019185635.tif 000013
【図１２】
2019185635.tif 000014
【図１３】
2019185635.tif 000015
【図１４】
2019185635.tif 000016
【図１５】
2019185635.tif 000017
【図１６】
2019185635.tif 000018
【図１７】
2019185635.tif 000019